(57)【要約】【課題】軽量で海中展開機能の信頼性が高い海中展開用ブイを提供すること。【解決手段】海中展開用ブイ１０は、海洋観測機器や通信機器などの電子機器と、内部底部側に電子機器を収納すると共に反底部側に外筒開口を有する円筒状の外筒５と、外筒開口を閉鎖するように外筒５に装着され、ブイが海中に投入された際に外筒開口を開放するように外筒から外れる蓋１と、外筒中空部の外筒開口側に収納され、外筒開口が開放された際に外筒から押し出される浮力体３と、複数に分割されて浮力体を囲むように外筒内周面に沿って設置され、外筒開口が開放された際に浮力体と共に外筒から押し出される金属製スリーブ２と、スリーブを蓋側に押圧するスプリング４とを備える。スリーブ２は、スリーブ外周面に突条を有するように波状に折り曲げた板材で形成され、その突状が外筒軸方向に延びて外筒内周面に当接するように設置されている。【選択図】図１
2007230414.tif 000002
【特許請求の範囲】
【請求項１】
海洋観測機器や通信機器などの電子機器と、
外筒中空部の底部側に前記電子機器を収納すると共に反底部側に外筒開口を有する円筒状の外筒と、
前記外筒開口を閉鎖するように前記外筒に装着され、ブイが海中に投入された際に前記外筒開口を開放するように前記外筒から外れる蓋と、
前記外筒中空部の外筒開口側に収納され、前記外筒開口が開放された際に前記外筒から押し出される浮力体と、
複数に分割されて前記浮力体を囲むように外筒内周面に沿って設置され、前記外筒開口が開放された際に前記浮力体と共に前記外筒から押し出される金属製スリーブと、
前記スリーブを蓋側に押圧するスプリングと、を備え、
スリーブ外周面に突条を有するように波状に折り曲げた板材で前記スリーブを形成し、
前記スリーブの突状が外筒軸方向に延びて前記外筒内周面に当接するように前記スリーブを設置したこと、
を特徴とする海中展開用ブイ。
【発明の詳細な説明】
【技術分野】
【０００１】
本発明は、海中展開用ブイに係り、特に、海洋観測機器や通信機器などの電子機器を備えた海中展開用ブイに好適なものである。
【背景技術】
【０００２】
従来の海中展開用ブイを図４を参照しながら説明する。図４は海中投入直後の従来の海中展開用ブイを示す図である。図４（ａ）は、その斜視図であり、浮力体を省略してある。図４（ｂ）は、その上面図であり、浮力体及び蓋を省略してある。なお、図１〜図４における同一符号のものは、同一物または相当物を示す。
【０００３】
海中展開用ブイ１０は、外筒５と、ブイが海中に投入された際に外筒５より外れて外筒５の開口を開放する蓋１と、外筒５の開口が開放された際に外筒５から押し出される浮力体及びスリーブ２と、スリーブ２を蓋側に押圧するスプリング４とを備えている。
【０００４】
そして、スリーブ２は、２つに分割して構成され、浮力体を囲むように外筒内周面５ｃに沿って設置されている。このスリーブ２の外周面２ａは外筒５の内周円弧面とほぼ同一の単なる円弧面で形成されている。
【０００５】
なお、かかる海中展開用ブイに関連するものとして、特開２００５−８０４４号公報（特許文献１）に示された海面に落下させる海中探査ブイがある。
【０００６】
【特許文献１】特開２００５−８０４４号公報
【発明の開示】
【発明が解決しようとする課題】
【０００７】
上述した図４に示す従来の海中展開用ブイ１０では、スリーブ２の外周面と外筒５の内周面との接触面積が大きいために、スリーブ２が外筒５から押し出される際に大きな接触抵抗が発生し、スプリング４によるスリーブ２の押し出しを阻害していた。特に、スリーブ２の外周面と外筒５の内周面とが全面的に密着して設置された場合には、スリーブ２が外筒５から押し出される際に密着面が真空状態となってしまい、スリーブ２が外筒５から外れなくなるおそれがあった。
【０００８】
また、スリーブ２はスプリング４により押圧されるものであるため、その押圧に耐える剛性が必要である。しかし、従来の円弧面を有するスリーブ２でその剛性を増すためには、その板厚を増す必要があり、重量の重いものとなっていた。この点からも、スプリング４によるスリーブ２の押し出しを阻害するものであった。
【０００９】
本発明の目的は、軽量で海中展開機能の信頼性が高い海中展開用ブイを提供することにある。
【課題を解決するための手段】
【００１０】
前述の目的を達成するために、本発明は、海洋観測機器や通信機器などの電子機器と、外筒中空部の底部側に前記電子機器を収納すると共に反底部側に外筒開口を有する円筒状の外筒と、前記外筒開口を閉鎖するように前記外筒に装着され、ブイが海中に投入された際に前記外筒開口を開放するように前記外筒から外れる蓋と、前記外筒中空部の外筒開口側に収納され、前記外筒開口が開放された際に前記外筒から押し出される浮力体と、複数に分割されて前記浮力体を囲むように外筒内周面に沿って設置され、前記外筒開口が開放された際に前記浮力体と共に前記外筒から押し出される金属製スリーブと、前記スリーブを蓋側に押圧するスプリングと、を備え、スリーブ外周面に突条を有するように波状に折り曲げた板材で前記スリーブを形成し、前記スリーブの突状が外筒軸方向に延びて前記外筒内周面に当接するように前記スリーブを設置したことにある。
【発明の効果】
【００１１】
本発明によれば、軽量で海中展開機能の信頼性が高い海中展開用ブイを提供することができる。
【発明を実施するための最良の形態】
【００１２】
以下、本発明の複数の実施形態について図を用いて説明する。
（第１実施形態）
本発明の第１実施形態の海中展開用ブイについて図１及び図２を用いて説明する。図１は本発明の第１実施形態の海中展開用ブイ１０の海中展開機能を説明する図である。図２は図１の海中展開用ブイ１０の海中投入直後の状態を示す図である。なお、図２（ａ）は、その海中展開用ブイ１０の斜視図であり、浮力体３を省略してある。図２（ｂ）は、その海中展開用ブイ１０の斜視図上面図であり、浮力体３及び蓋１を省略してある。
【００１３】
海中展開用ブイ１０は、電子機器（図示せず）と、円筒状の外筒５と、外筒５に着脱可能に装着された蓋１と、開口側中空部に収納された浮力体３と、複数に分割されて開口側中空部に収納された金属製スリーブ２と、スリーブ２を蓋側に押圧するスプリング４と、を備えて構成されている。
【００１４】
電子機器は、海中で使用する海洋観測機器や通信機器などで構成され、外筒５の内部の底部側に設置されている。
【００１５】
外筒５は、反底部側の端面を外筒開口５ａとしており、この外筒開口５ａを有する開口側中空部５ｂと電子機器を収納する底部側中空部とを区画して有している。
【００１６】
蓋１は、外筒開口５ｂを閉鎖するように装着され、ブイが海中に投入された際に外筒５より外れて外筒開口５ｂを開放するように構成されている。なお、ブイが海中に投入された際に蓋１が海水に濡れることにより、蓋１が外筒５から外れるようになっている。
【００１７】
浮力体３は、外筒開口５ｂが開放された際に外筒５から押し出されるように、開口側中空部５ｂ内に収納されている。この浮力体３は、ゴムや樹脂などの弾性を有する袋体で形成され、縮小された状態で蓋１に対向するように配置されている。浮力体３の反蓋側にはロープ７の一側が取付けられている。このロープ７の他側は開口側中空部５ｂの底部に取付けられている。
【００１８】
スリーブ２は、複数に分割されて形成されており、浮力体３を囲むように外筒内周面５ｂに沿って設置され、外筒開口５ｂが開放された際に浮力体３と共に外筒５から押し出されるように収納されている。このスリーブ２は、スリーブ外周面２ａに突条２ｂを有するように波状に折り曲げた板材で形成され、スリーブ２の突状２ｂが外筒軸方向に延びて外筒内周面５ａに当接するように開口側中空部５ｂ内に設置されている。スリーブ２を波型に形成したことにより、軽量且つ座屈に対する剛性が高いスリーブを実現できるので、この点からも海中展開機能を向上することができる。
【００１９】
スプリング４は、開口側中空部５ｂを構成する外筒内周面５ｃより若干小径のコイルスプリングで形成され、スリーブ２を蓋側に押圧するように開口側中空部５ｂ内の底部側に設置されている。このスプリング４は、蓋１を外筒５に装着した状態で圧縮され、スリーブ２に対する押圧力を得るようになっている。
【００２０】
かかる構成の海中展開用ブイ１０が海上より投入されると、図１の左側に示すように、海中展開用ブイ１０の蓋側が上になるように海中に沈み、蓋１が海水に濡れることにより外筒５に対する蓋１の装着が解除される。
【００２１】
この解除によって、スリーブ２は、図１の中央及び図２に示すように、スリーブ２を囲んだ状態（スリーブ２を保護した状態）でスプリング４の押し付け力により開口側中空部５ｂから徐々に押し出される。この際、スリーブ２の外周面２ａには突状２ｂが形成され、従来例と比較して、外筒内周面５ｃとの接触面積が少なく、摩擦抵抗が減少しているので、スリーブ２は容易に押し出される。また、スリーブ２の外周面２ａと外筒５の内周面５ｃとが全面的に密着することがなくなり、スリーブ２の外周面２ａと外筒５の内周面５ｃと間に真空状態を招くことがなくなる。これによって、海中展開機能の信頼性が著しく向上する。
【００２２】
そして、スリーブ２が開口側中空部５ｂ内から完全に押し出されると、図１の右側に示すように、スリーブ２が左右に離れると共に、蓋１が海中に落下する。これに伴って、浮力体３は内部に気体が発生され、浮力体３が膨張して海面に浮上する。この状態で、外筒５は、浮力体３にロープ７を介して吊下され、ロープ７の長さに応じた海中の所定の深度に位置される。この状態で、電子機器を機能させて海洋観測や通信が行われる。
【００２３】
本実施形態の海中展開用ブイ１０は、電子機器のセンサ部位を海中の所定の深度で運用する目的で、気体を含んだ浮力体３を海面に浮かせて、そこからロープ７で吊下させて使用する比較的安価な方式に適用できるものである。
（第２実施形態）
次に、本発明の第２実施形態について図３を用いて説明する。図３は本発明の第２実施形態の海中展開用ブイ１０の海中投入直後の状態を示す図である。なお、図３（ａ）は、その海中展開用ブイ１０の斜視図であり、浮力体３を省略してある。図３（ｂ）は、その海中展開用ブイ１０の斜視図上面図であり、浮力体３及び蓋１を省略してある。
【００２４】
この第２実施形態は、次に述べる点で第１実施形態と相違するものであり、その他の点については第１実施形態と基本的には同一であるので、重複する説明を省略する。
【００２５】
この第２実施形態では、スリーブ２の波型形状を変更して、円弧面の面積を大きくし、突状部２ｂの数を少なくしたものである。このようにすることにより、第１実施形態よりもスリーブ２の剛性が低くなるが、スリーブ２と外筒５との摩擦力が小さくなり、さらに海中展開機能の信頼性を向上することができる。
【図面の簡単な説明】
【００２６】
【図１】本発明の第１実施形態の海中展開用ブイの海中展開を説明する図である。
【図２】図１の海中展開用ブイの海中投入直後の状態を示す図である。
【図３】本発明の第２実施形態の海中展開用ブイの海中投入直後の状態を示す図である。
【図４】従来の海中展開用ブイの海中投入直後の状態を示す図である。
【符号の説明】
【００２７】
１…蓋、２…スリーブ、２ａ…スリーブ外周面、２ｂ…スリーブ突状、３…浮力体、４…スプリング、５…外筒、５ａ…外筒開口、５ｂ…開口側中空部、５ｃ…外筒内周面、７…ロープ、１０…海中展開用ブイ。
【図１】
2007230414.tif 000003
【図２】
2007230414.tif 000004
【図３】
2007230414.tif 000005
【図４】
2007230414.tif 000006